(57)【要約】【課題】電子番組表を操作するのと同じ操作感で撮像装置の映像を閲覧可能にすることを目的とする。【解決手段】放送された番組情報を受信する受信手段と、撮像装置から映像及び映像に係る映像情報を取得する取得手段と、受信手段で受信された番組情報を基に、番組に係る番組エントリを時刻順に第一の方向に配列した番組配列を、同一時間帯に放送される番組エントリが第一の方向と交差する第二の方向軸上に複数並ぶように配置し、かつ、取得手段で取得された映像情報を基に、撮像装置の映像に係る撮像装置映像閲覧エントリ３０１〜３０４を第一の方向に配列した撮像装置映像閲覧エントリ配列を、第二の方向軸上に並ぶように配置した電子番組表を作成する電子番組表生成手段と、を有することによって課題を解決する。【選択図】図３
2010010829.tif 000002
【特許請求の範囲】
【請求項１】
放送された番組情報を受信する受信手段と、
撮像装置から映像及び前記映像に係る映像情報を取得する取得手段と、
前記受信手段で受信された番組情報を基に、番組に係る番組エントリを時刻順に第一の方向に配列した番組配列を、同一時間帯に放送される番組エントリが前記第一の方向と交差する第二の方向軸上に複数並ぶように配置し、かつ、前記取得手段で取得された映像情報を基に、前記撮像装置の映像に係る撮像装置映像閲覧エントリを前記第一の方向に配列した撮像装置映像閲覧エントリ配列を、前記第二の方向軸上に並ぶように配置した電子番組表を作成する電子番組表生成手段と、
を有することを特徴とする電子番組表生成装置。
【請求項２】
前記電子番組表生成手段は、前記電子番組表の現在時刻と一致する第二の方向軸と、前記撮像装置映像閲覧エントリ配列と、が交差する位置に前記撮像装置のリアルタイム映像に係るライブエントリを配置するように前記電子番組表を作成することを特徴とする請求項１に記載の電子番組表生成装置。
【請求項３】
前記電子番組表生成手段は、前記ライブエントリより前の時間の位置には、前記取得手段で取得され、記録装置に記録されている前記撮像装置の映像に係る録画エントリを配置するように前記電子番組表を作成することを特徴とする請求項２に記載の電子番組表生成装置。
【請求項４】
前記電子番組表生成手段は、前記ライブエントリより後の時間の位置には、前記撮像装置の設定及び記録装置の録画設定に係る録画予約エントリを配置するように前記電子番組表を作成することを特徴とする請求項２又は３に記載の電子番組表生成装置。
【請求項５】
前記電子番組表生成手段は、前記録画エントリを前記電子番組表の時刻情報に対応させて配置するように前記電子番組表を作成することを特徴とする請求項３に記載の電子番組表生成装置。
【請求項６】
前記電子番組表生成手段は、前記録画予約エントリを前記電子番組表の時刻情報に対応させて配置するように前記電子番組表を作成することを特徴とする請求項４に記載の電子番組表生成装置。
【請求項７】
電子番組表生成装置における電子番組表生成方法であって、
放送された番組情報を受信する受信ステップと、
撮像装置から映像及び前記映像に係る映像情報を取得する取得ステップと、
前記受信ステップで受信された番組情報を基に、番組に係る番組エントリを時刻順に第一の方向に配列した番組配列を、同一時間帯に放送される番組エントリが前記第一の方向と交差する第二の方向軸上に複数並ぶように配置し、かつ、前記取得ステップで取得された映像情報を基に、撮像装置の映像に係る撮像装置映像閲覧エントリを前記第一の方向に配列した撮像装置映像閲覧エントリ配列を、前記第二の方向軸上に並ぶように配置した電子番組表を作成する電子番組表生成ステップと、
を有することを特徴とする電子番組表生成方法。
【請求項８】
前記電子番組表生成ステップでは、電子番組表の現在時刻と一致する第二の方向軸と、前記撮像装置映像閲覧エントリ配列と、が交差する位置に前記撮像装置のリアルタイム映像に係るライブエントリを配置するように前記電子番組表を作成することを特徴とする請求項７に記載の電子番組表生成方法。
【請求項９】
前記電子番組表生成ステップでは、前記ライブエントリより前の時間の位置には、前記取得ステップで取得され、記録装置に記録されている前記撮像装置の映像に係る録画エントリを配置するように前記電子番組表を作成することを特徴とする請求項８に記載の電子番組表生成方法。
【請求項１０】
前記電子番組表生成ステップでは、前記ライブエントリより後の時間の位置には、前記撮像装置の設定及び記録装置の録画設定に係る録画予約エントリを配置するように前記電子番組表を作成することを特徴とする請求項８又は９に記載の電子番組表生成方法。
【請求項１１】
前記電子番組表生成ステップでは、前記録画エントリを前記電子番組表の時刻情報に対応させて配置するように前記電子番組表を作成することを特徴とする請求項９に記載の電子番組表生成方法。
【請求項１２】
前記電子番組表生成ステップでは、前記録画予約エントリを前記電子番組表の時刻情報に対応させて配置するように前記電子番組表を作成することを特徴とする請求項１０に記載の電子番組表生成方法。
【発明の詳細な説明】
【技術分野】
【０００１】
本発明は、電子番組表生成装置及び電子番組表生成方法に関する。
【背景技術】
【０００２】
Ｗｅｂカメラに代表されるリアルタイム映像を閲覧可能な撮像装置は大規模なセキュリティシステムばかりでなく、近年ではペットの監視等、ホームユースな状況確認手段としても利用されている。従来これらの映像の閲覧はＰＣ等を利用し、専用のビューアを起動することによって行われている。
しかしながら、ユーザーは撮像装置の映像を確認する度にＰＣ及び専用ビューアを起動しなければならない事に加え、ビューア毎に操作感が異なったり、専門的だったりしていた。そのためホームユースで利用したいユーザーには敷居が高く、利便性や操作性を損なうという課題があった。
【０００３】
上記課題を解決するための技術として、各種サービスを同一の操作感でガイドできるようにすることを目的とした特許文献１が知られている。
この技術は、電子番組表（ＥＰＧ）と同様の形態をもつシステムを独自に構築することで、テレビ放送やセキュリティサービス、家電制御サービス等の各種サービスを総合的にガイド（制御）することを目的としている。その際、各種サービスを統一的に扱えるようにＸＭＬデータを定義し、それを独自のクライアント・サーバモデルにて利用することでガイド（制御）を実現する。
しかしこの技術ではガイドする全てのサービスが独自のクライアント・サーバモデルに対応していなければならない。
【０００４】
【特許文献１】特開２００１−３４６１８７号公報
【発明の開示】
【発明が解決しようとする課題】
【０００５】
前述したように従来の閲覧手段では、ＰＣ及び専用ビューアを別途起動しなければならない。たとえそれら専用ビューアをＴＶに導入したとしても、リモコンのユーザーインターフェースだけでは操作がＰＣ上で行うよりも複雑化してしまい、ホームユースで利用したいユーザーの利便性や操作性を損なう問題点があった。
【０００６】
本発明はこのような問題点に鑑みなされたもので、電子番組表を操作するのと同じ操作感で撮像装置の映像を閲覧可能にすることを目的とする。
【課題を解決するための手段】
【０００７】
そこで、本発明は、放送された番組情報を受信する受信手段と、撮像装置から映像及び前記映像に係る映像情報を取得する取得手段と、前記受信手段で受信された番組情報を基に、番組に係る番組エントリを時刻順に第一の方向に配列した番組配列を、同一時間帯に放送される番組エントリが前記第一の方向と交差する第二の方向軸上に複数並ぶように配置し、かつ、前記取得手段で取得された映像情報を基に、撮像装置の映像に係る撮像装置映像閲覧エントリを前記第一の方向に配列した撮像装置映像閲覧エントリ配列を、前記第二の方向軸上に並ぶように配置した電子番組表を作成する電子番組表生成手段と、を有することを特徴とする。
【０００８】
また、本発明は、電子番組表生成装置における電子番組表生成方法であって、放送された番組情報を受信する受信ステップと、撮像装置から映像及び前記映像に係る映像情報を取得する取得ステップと、前記受信ステップで受信された番組情報を基に、番組に係る番組エントリを時刻順に第一の方向に配列した番組配列を、同一時間帯に放送される番組エントリが前記第一の方向と交差する第二の方向軸上に複数並ぶように配置し、かつ、前記取得ステップで取得された映像情報を基に、撮像装置の映像に係る撮像装置映像閲覧エントリを前記第一の方向に配列した撮像装置映像閲覧エントリ配列を、前記第二の方向軸上に並ぶように配置した電子番組表を作成する電子番組表生成ステップと、を有することを特徴とする。
【発明の効果】
【０００９】
本発明によれば、電子番組表を操作するのと同じ操作感で撮像装置の映像を閲覧可能にすることができる。
【発明を実施するための最良の形態】
【００１０】
以下、本発明の実施形態について図面に基づいて説明する。
【００１１】
＜実施形態１＞
図１は、番組表示システムのシステム構成の一例を表した図である。番組表示装置１にはテレビジョン放送番組及び各種映像が表示可能な表示装置２が接続される。ユーザーからの各種操作指示はリモートコントローラに代表される操作入力装置３で行われる。
番組表示装置１にはテレビジョン回線４を介して放送番組の映像や音声及び放送番組に関する情報が入力される。放送番組は番組表示装置１により録画されてもよいし、番組表示装置１によるデコード処理等を経て表示装置２へ出力されてもよい。また撮像装置と接続されている回線５を介して、番組表示装置１には撮像装置の映像及び映像に関する情報が入力される。撮像装置の映像は番組表示装置１により録画されてもよいし、番組表示装置１によるデコード処理等を経て表示装置２へ出力されてもよい。
【００１２】
図２は、番組表示装置１の構成の一例を表した機能ブロック図である。番組表示装置１は、番組受信部１０１、撮像装置映像受信部１０２、表示出力部１０３、ユーザー操作受信部１０４、記録制御部１０５、記録部１０６、キーワード抽出部１０７、表示制御部１０８、撮像装置の映像デコーダ１２０、ＴＶデコーダ１２１を備えている。また、番組表示装置１は、操作解析部１２２、表示切替部１２３を備えている。なお、これらの各機能ブロックはハードウェア、ソフトウェアの組み合わせによって様々な形で実現することができる。
【００１３】
番組受信部１０１は、テレビジョン放送回線を介して放送番組の映像や音声及び放送番組に関する情報（番組情報）を受信する。番組情報に関する情報は、番組表示装置１の記録装置の一例であるメモリ上に保持される。放送番組の映像や音声は、例えばＴＶデコーダ１２１での処理を経て表示出力部１０３に出力される。
撮像装置映像受信部１０２は、撮像装置と接続されている回線を介して撮像装置の映像及び映像に関する情報（映像情報）を受信する。番組表示装置１は、映像に関する情報を番組表示装置１のメモリに保持してもよいし、記録制御部１０５を介して記録部１０６に格納してもよい。また、番組表示装置１は、撮像装置の映像や音声を撮像装置の映像デコーダ１２０での処理を経て表示出力部１０３に出力するようにしてもよい。
【００１４】
ユーザー操作受信部１０４は、ユーザーの放送番組閲覧及び撮像装置映像の閲覧指示を受信する。操作解析部１２２は、ユーザー操作受信部１０４が受信した閲覧指示を解析する。そして、表示出力部１０３は、操作解析部１２２が解析した結果に基づいて、ユーザーの指示した映像を出力する。
記録制御部１０５は、撮像装置映像受信部１０２で受信した映像に関する情報、若しくはユーザー操作受信部１０４で受信した（又は操作解析部１２２で解析された）ユーザー指示の情報に基づいて撮像装置の映像を記録部１０６に記録する。但し、記録制御部１０５は、前記情報に基づいて、放送番組の映像や音声を記録部１０６に記録してもよい。
記録装置の一例である記録部１０６には、撮像装置映像受信部１０２で受信した映像や音声及び映像に関する情報が記録される。なお、記録部１０６には、テレビジョン放送回線を経由して入力された放送番組や放送番組に関する情報が記録されてもよい。ここで便宜上、記録部１０６を番組表示装置１の内部構成として挙げたが、通信手段を介して前記情報を番組表示装置１が取得可能であれば、記憶手段を備えた外部記憶装置であってもよい。
【００１５】
キーワード抽出部１０７は、記録部１０６で記録されている撮像装置の映像に関する情報から、アラーム情報やフレームレート等の記録情報等の各種キーワード情報を抽出する。抽出されたデータは番組表示装置１のメモリ上に保持されていてもよいし、記録部１０６に記録されていてもよい。
電子番組表生成手段の一例である表示制御部１０８は、番組受信部１０１で受信したテレビジョン番組に関する情報及びキーワード抽出部１０７で抽出した撮像装置の映像に関する情報に基づいて、電子番組表を作成する。表示制御部１０８は、電子番組表を作成する際に、下記で説明する撮像装置の映像エントリを第一の方向に配置した撮像装置エントリ配列を、第一の方向と交差する第二の方向軸上に並ぶように作成する。表示制御部１０８において作成され、表示出力部１０３によって出力される電子番組表の出力画面の一例を図３に示す。図３は、電子番組表の一例を示す図（その１）である。
【００１６】
また、表示制御部１０８は、上記で説明した作成方法に加えて、撮像装置の映像エントリを前記第二の方向軸上に並ぶように電子番組表を作成するようにしてもよい。このように作成され、表示出力部１０３によって出力される電子番組表の出力画面の一例を図４に示す。図４は、電子番組表の一例を示す図（その２）である。
図３に示されるように電子番組表は、撮像装置のリアルタイム映像を閲覧できるライブエントリ３０１、撮像装置の録画映像を閲覧できる録画エントリ３０２、撮像装置のアラーム録画映像を閲覧できるアラーム録画エントリ３０３を含む。また、電子番組表は、撮像装置の設定や録画予約を閲覧・操作できる録画予約エントリ３０４、電子番組表上での現在時刻を示す現在時刻線３０５、テレビジョン放送のチャネルと撮像装置のチャネルとを識別するためのチャネル識別子を更に含む。また、電子番組表は、テレビジョン放送番組の閲覧ができる１つ又は複数の放送番組エントリ（番組エントリ）を含む。
【００１７】
より具体的に説明すると、表示制御部１０８は番組情報を基に放送番組エントリを時刻順に第一の方向に配置した番組配列を、同一時間帯に放送される放送番組エントリが前記第一の方向と交差する第二の方向軸上に複数並ぶように配置した電子番組表を作成する。
また表示制御部１０８は前記電子番組表を作成する際、映像情報を基に、撮像装置映像閲覧エントリ（３０１、３０２、３０３、３０４）を前記第一の方向に配列した撮像装置映像閲覧エントリ配列を、前記第二の方向軸上に並ぶように前記電子番組表を作成する。
【００１８】
また、表示制御部１０８は、電子番組表の現在時刻と一致する第二の方向軸と、前記撮像装置映像閲覧エントリ配列と、が交差する位置に前記撮像装置のリアルタイム映像に係るライブエントリ３０１を配置するように前記電子番組表を作成する。
また、表示制御部１０８は、撮像装置映像閲覧エントリ配列においてライブエントリ３０１より前の時間の位置には、メモリ等に記録されている撮像装置の映像に係る録画エントリ３０２を配置するように前記電子番組表を作成する。
また、表示制御部１０８は、撮像装置映像閲覧エントリ配列においてライブエントリ３０１より後の時間の位置には、撮像装置の設定及び記録装置の録画設定に係る録画予約エントリ３０４を配置するように前記電子番組表を作成する。
【００１９】
また、表示制御部１０８は、アラーム録画エントリ３０３を、記録部１０６で録画された録画映像をキーワード抽出部１０７で抽出されたアラームキーワードによって分類することで作成する。
番組表示装置１は、録画予約エントリ３０４を利用し、撮像装置制御部１２４を介して、撮像装置の設定及び制御するための信号を撮像装置に送信してもよい。
また、表示制御部１０８は、電子番組表を作成する際に現在時刻（又は時刻情報）と連動させて、録画予約エントリ３０４動的に移動させるようにしてもよい。
【００２０】
次に番組表示装置１を操作するため操作入力装置の一例を図５に示す。図５は、操作入力装置の一例を示す図である。なお、この例において操作入力装置３はリモートコントローラである。操作入力装置３は、ユーザーが、記録部１０６に録画されている映像を閲覧するための録画エントリ閲覧ボタン５０１、撮像装置のリアルタイム映像を閲覧するためのライブエントリ閲覧ボタン５０２を備えている。また、操作入力装置３は、ユーザーが、テレビジョン放送番組を閲覧するためのテレビジョンエントリボタン５０３の左ボタン５０４、右ボタン５０５、上ボタン５０６、決定ボタン５０７、下ボタン５０８、取消ボタン５０９、を備えている。また、操作入力装置３は、ユーザーが、テレビジョン放送番組を閲覧するための電子番組表表示ボタン５１０を備えている。
電子番組表に表示されている各種映像を閲覧するためのエントリの選択は、ユーザーが、左ボタン５０４、右ボタン５０５、上ボタン５０６、下ボタン５０８を押下することで行い、実際の映像の閲覧は決定ボタン５０７を押下することで行う。
【００２１】
決定ボタン５０７が押下された際の処理の一例を図６に示す。図６は、決定ボタン５０７が押下された際の処理の一例を示すフローチャートである。
決定ボタン５０７が押下されると、番組表示装置１は、操作入力装置３におけるチャネル操作のユーザー指示に基づいて、映像の閲覧指示か否かの判断を行う（Ｓ１０）。ここで映像の閲覧指示でない場合（Ｓ１０Ｎ）、番組表示装置１は、直ちにテレビジョン放送番組をデコードし（Ｓ１４）、テレビジョン番組映像を表示出力部１０３により出力する（Ｓ１５）。前記チャネル操作においてユーザー指示が番組表示装置１の映像の閲覧だった場合（Ｓ１０Ｙ）、番組表示装置１は、前記ユーザー指示に基づいて、リアルタイム映像か録画映像の閲覧かの判断を行う（Ｓ１１）。ここで録画映像の閲覧である場合（Ｓ１１Ｎ）、番組表示装置１は、直ちに記録映像の読み出し及びデコードを行い（Ｓ１３）、記録映像を表示出力部１０３によって出力する（Ｓ１５）。前処理においてユーザーの指示がリアルタイム映像であった場合（Ｓ１１Ｙ）、番組表示装置１は、リアルタイム映像のデコードを行い（Ｓ１２）、リアルタイム映像を表示出力部１０３によって出力する（Ｓ１５）。
【００２２】
番組表示装置１は、電子番組表表示ボタン５１０が押下されることによって電子番組表を表示出力部１０３から出力し、出力された電子番組表を再度、電子番組表表示ボタン５１０が押下されることで出力を停止する。また、番組表示装置１は、取消ボタン５０９が押下されることで電子番組表の出力を停止してもよい。
また、番組表示装置１は、撮像装置のリアルタイム映像及び記録映像を前記電子番組表に対する閲覧要求操作だけでなく、ライブエントリ閲覧ボタン５０２、録画エントリ閲覧ボタン５０１の押下によって即座に閲覧可能にするようにしてもよい。
【００２３】
以上、上述した実施形態によれば、ＴＶのメニューシステムである電子番組表に撮像装置の映像チャネルを統合的に合成表示することにより、電子番組表を操作するのと同じ操作感で撮像装置の映像を閲覧することが可能になる。
加えてＷｅｂカメラに代表されるような撮像装置を用いた状況確認等のアプリケーションをホームユースのレベルにまで引き下げることも可能である。
また日常的に閲覧される電子番組表に放送局チャネルと同レベルで撮像装置チャネルを表示することにより、その確認・認識を極めて容易に行うことができる。
【００２４】
＜その他の実施形態＞
また、本発明の目的は、以下のようにすることによって達成される。即ち、上述した実施形態の機能を実現するソフトウェアのプログラムコードを記録した記憶媒体（又は記録媒体）を、システム或いは装置に供給する。そして、そのシステム或いは装置の中央演算処理手段（ＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記録した記憶媒体は本発明を構成することになる。
【００２５】
また、システム或いは装置の前記中央演算処理手段が読み出したプログラムコードを実行することにより、そのプログラムコードの指示に基づき、システム或いは装置上で稼働しているオペレーティングシステム（ＯＳ）等が実際の処理の一部又は全部を行う。その処理によって上述した実施形態の機能が実現される場合も含まれる。
【００２６】
更に、記憶媒体から読み出されたプログラムコードが、前記システム或いは装置に挿入された機能拡張カードや、接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【００２７】
本発明を前記記憶媒体に適用する場合、その記憶媒体（コンピュータ読み取り可能な記憶媒体）には、先に説明したフローチャートに対応するプログラムコードが格納されることになる。
【００２８】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００２９】
【図１】番組表示システムのシステム構成の一例を表した図である。
【図２】番組表示装置１の構成の一例を表した機能ブロック図である。
【図３】電子番組表の一例を示す図（その１）である。
【図４】電子番組表の一例を示す図（その２）である。
【図５】操作入力装置の一例を示す図である。
【図６】決定ボタン５０７が押下された際の処理の一例を示すフローチャートである。
【符号の説明】
【００３０】
１  番組表示装置
２  表示装置
３  操作入力装置
４  テレビジョン回線
５  回線
【図１】
2010010829.tif 000003
【図２】
2010010829.tif 000004
【図３】
2010010829.tif 000005
【図４】
2010010829.tif 000006
【図５】
2010010829.tif 000007
【図６】
2010010829.tif 000008